(57)【要約】【課題】画像ファイルの管理を簡便に行い、且つ、画像を撮像したときの状況を容易に把握する。【解決手段】撮像装置１００であって、被写体を連続して撮像する撮像部１と、この撮像部１により連続して撮像された複数の静止画像の画像データに基づいて、当該複数の静止画像を縮小した縮小画像をそれぞれ生成する縮小画像生成部４ａと、撮像部１により連続して撮像された複数の静止画像のうちの少なくとも何れか一の静止画像を本画像として指定する指定部４ｂと、この指定部４ｂにより指定された本画像と縮小画像生成部４ａにより生成された複数の縮小画像とを対応付けて記録媒体９に記録させる記録制御部８と、を備える。【選択図】図１
2011035586.tif 000002
【特許請求の範囲】
【請求項１】
被写体を連続して撮像する撮像手段と、
この撮像手段により連続して撮像された複数の静止画像の画像データに基づいて、当該複数の静止画像を縮小した縮小画像をそれぞれ生成する縮小画像生成手段と、
前記撮像手段により連続して撮像された前記複数の静止画像のうちの少なくとも何れか一の静止画像を本画像として指定する指定手段と、
この指定手段により指定された前記本画像と前記縮小画像生成手段により生成された複数の縮小画像とを対応付けて記録媒体に記録させる記録制御手段と、
を備えることを特徴とする撮像装置。
【請求項２】
前記指定手段により指定された前記本画像と前記複数の縮小画像とを含む一の画像ファイルを生成するファイル生成手段を備え、
前記記録制御手段は、
前記ファイル生成手段により生成された前記画像ファイルを前記記録媒体に記録させることを特徴とする請求項１に記載の撮像装置。
【請求項３】
前記複数の縮小画像の画像データに基づいて動画を生成する動画生成手段を更に備え、
前記ファイル生成手段は、前記複数の縮小画像として、前記動画生成手段により生成された動画を前記画像ファイルに含ませることを特徴とする請求項２に記載の撮像装置。
【請求項４】
前記縮小画像生成手段により生成された前記複数の縮小画像を選択可能に表示する表示手段と、
この表示手段に表示される前記複数の縮小画像のうちの少なくとも何れか一の縮小画像を選択する選択手段と、を更に備え、
前記指定手段は、
前記撮像手段により連続して撮像された前記複数の静止画像のうち、前記選択手段により選択された前記縮小画像に対応する静止画像を前記本画像として指定することを特徴とする請求項１から３の何れか一項に記載の撮像装置。
【請求項５】
撮像部に対し、被写体を連続して撮像させる撮像ステップと、
前記撮像ステップにて連続して撮像された複数の静止画像の画像データに基づいて、当該複数の静止画像を縮小した縮小画像をそれぞれ生成する縮小画像生成ステップと、
前記撮像ステップにて連続して撮像された前記複数の静止画像のうちの少なくとも何れか一の静止画像を本画像として指定する指定ステップと、
指定された前記本画像と生成された複数の縮小画像とを対応付けて記録媒体に記録させる記録制御ステップと、
を実行させることを特徴とする記録制御方法。
【請求項６】
被写体を連続して撮像する撮像手段を備える撮像装置のコンピュータを、
前記撮像手段により連続して撮像された複数の静止画像の画像データに基づいて、当該複数の静止画像を縮小した縮小画像をそれぞれ生成する縮小画像生成手段、
前記撮像手段により連続して撮像された前記複数の静止画像のうちの少なくとも何れか一の静止画像を本画像として指定する指定手段、
この指定手段により指定された前記本画像と前記縮小画像生成手段により生成された複数の縮小画像とを対応付けて記録媒体に記録させる記録制御手段、
として機能させることを特徴とするプログラム。
【発明の詳細な説明】
【技術分野】
【０００１】
本発明は、被写体を撮像する撮像装置、記録制御方法及びプログラムに関する。
【背景技術】
【０００２】
従来、連続的に撮像した複数の画像全てから縮小画像を生成して外部機器に転送するとともに、当該縮小画像の中からユーザが選択した縮小画像を本画像として外部機器に転送する技術が知られている（例えば、特許文献１参照）。
【先行技術文献】
【特許文献】
【０００３】
【特許文献１】特開２００６−３４５１８８号公報
【発明の概要】
【発明が解決しようとする課題】
【０００４】
しかしながら、上記特許文献１に記載の技術の場合、本画像として選択された画像と縮小画像が別々の画像ファイルとして外部機器に格納されてしまうので、画像ファイルの管理が面倒であるという問題がある。
また、本画像の画像ファイルと縮小画像の画像ファイルとが関連性の無い別々のファイルとして扱われた場合、本画像の画像ファイルの閲覧の際、連続的に撮影された前後の画像を関連付けて閲覧することができず、当該本画像を撮像したときの状況が分かり難いという問題がある。
【０００５】
そこで、本発明の課題は、画像ファイルの管理を簡便に行うことができ、且つ、画像を撮像したときの状況を容易に把握することができる撮像装置、記録制御方法及びプログラムを提供することである。
【課題を解決するための手段】
【０００６】
上記課題を解決するため、請求項１に記載の発明の撮像装置は、
被写体を連続して撮像する撮像手段と、この撮像手段により連続して撮像された複数の静止画像の画像データに基づいて、当該複数の静止画像を縮小した縮小画像をそれぞれ生成する縮小画像生成手段と、前記撮像手段により連続して撮像された前記複数の静止画像のうちの少なくとも何れか一の静止画像を本画像として指定する指定手段と、この指定手段により指定された前記本画像と前記縮小画像生成手段により生成された複数の縮小画像とを対応付けて記録媒体に記録させる記録制御手段と、を備えることを特徴としている。
【０００７】
請求項２に記載の発明は、請求項１に記載の撮像装置において、
前記指定手段により指定された前記本画像と前記複数の縮小画像とを含む一の画像ファイルを生成するファイル生成手段を備え、前記記録制御手段は、前記ファイル生成手段により生成された前記画像ファイルを前記記録媒体に記録させることを特徴としている。
【０００８】
請求項３に記載の発明は、請求項２に記載の撮像装置において、
前記複数の縮小画像の画像データに基づいて動画を生成する動画生成手段を更に備え、前記ファイル生成手段は、前記複数の縮小画像として、前記動画生成手段により生成された動画を前記画像ファイルに含ませることを特徴としている。
【０００９】
請求項４に記載の発明は、請求項１から３の何れか一項に記載の撮像装置において、
前記縮小画像生成手段により生成された前記複数の縮小画像を選択可能に表示する表示手段と、この表示手段に表示される前記複数の縮小画像のうちの少なくとも何れか一の縮小画像を選択する選択手段と、を更に備え、前記指定手段は、前記撮像手段により連続して撮像された前記複数の静止画像のうち、前記選択手段により選択された前記縮小画像に対応する静止画像を前記本画像として指定することを特徴としている。
【００１０】
請求項５に記載の発明の記録制御方法は、
撮像部に対し、被写体を連続して撮像させる撮像ステップと、前記撮像ステップにて連続して撮像された複数の静止画像の画像データに基づいて、当該複数の静止画像を縮小した縮小画像をそれぞれ生成する縮小画像生成ステップと、前記撮像ステップにて連続して撮像された前記複数の静止画像のうちの少なくとも何れか一の静止画像を本画像として指定する指定ステップと、指定された前記本画像と生成された複数の縮小画像とを対応付けて記録媒体に記録させる記録制御ステップと、を実行させることを特徴としている。
【００１１】
請求項６に記載の発明のプログラムは、
被写体を連続して撮像する撮像手段を備える撮像装置のコンピュータを、前記撮像手段により連続して撮像された複数の静止画像の画像データに基づいて、当該複数の静止画像を縮小した縮小画像をそれぞれ生成する縮小画像生成手段、前記撮像手段により連続して撮像された前記複数の静止画像のうちの少なくとも何れか一の静止画像を本画像として指定する指定手段、この指定手段により指定された前記本画像と前記縮小画像生成手段により生成された複数の縮小画像とを対応付けて記録媒体に記録させる記録制御手段、として機能させることを特徴としている。
【発明の効果】
【００１２】
本発明によれば、画像ファイルの管理を簡便に行うことができ、また、画像を撮像したときの状況を容易に把握することができる。
【図面の簡単な説明】
【００１３】
【図１】本発明を適用した撮像装置の概略構成を示すブロック図である。
【図２】図１の撮像装置による記録制御処理に係る動作の一例を示すフローチャートである。
【図３】図２の記録制御処理の続きを示すフローチャートである。
【図４】画像ファイルのデータ構造図である。
【図５】連写して撮像された複数の連写画像のうちの何れか一の連写画像を指定する動作を説明するための図である。
【図６】変形例１における画像ファイルのデータ構造図である。
【発明を実施するための形態】
【００１４】
以下に、本発明について、図面を用いて具体的な態様を説明する。ただし、発明の範囲は、図示例に限定されない。
【００１５】
図１は、本発明を適用した本実施形態の撮像装置１００の概略構成を示すブロック図である。
本実施形態の撮像装置１００は、撮像部１により連続して撮像された複数の静止画像の画像データに基づいて、当該複数の静止画像を縮小したサムネイル画像（縮小画像）をそれぞれ生成する。また、撮像装置１００は、複数の静止画像のうち何れか一の静止画像を本画像として指定する。そして、撮像装置１００は、本画像と複数のサムネイル画像とを対応付けて記録媒体９に記録させる。
具体的には、図１に示すように、撮像装置１００は、撮像部１と、画像データ生成部２と、画像メモリ３と、画像処理部４と、表示制御部５と、表示部６と、ファイル生成部７と、記録制御部８と、記録媒体９と、操作入力部１０と、ＣＰＵ１１と、ＲＯＭ１２とを備えている。
【００１６】
撮像部１は、レンズ部１ａや、電子撮像部１ｂや、撮像制御部１ｃ等から構成されている。
【００１７】
レンズ部１ａは、複数のレンズから構成され、ズームレンズやフォーカスレンズ等を備えている。また、レンズ部１ａは、図示は省略するが、被写体の撮像の際に、ズームレンズを光軸方向に移動させるズーム駆動部、フォーカスレンズを光軸方向に移動させる合焦駆動部等を備えていても良い。
【００１８】
電子撮像部１ｂは、例えば、ＣＣＤ（Charge Coupled Device）やＣＭＯＳ（Complementary Metal-oxide Semiconductor）等のイメージセンサから構成され、レンズ部１ａの各種レンズを通過した光学像を二次元の画像信号に変換する。
【００１９】
撮像制御部１ｃは、図示は省略するが、タイミング発生器、ドライバなどを備えている。そして、撮像制御部１ｃは、タイミング発生器、ドライバにより電子撮像部１ｂを走査駆動して、所定周期毎に光学像を電子撮像部１ｂにより二次元の画像信号に変換させ、当該電子撮像部１ｂの撮像領域から１画面分ずつ画像フレームを読み出して画像データ生成部２に出力させる。
また、撮像制御部１ｃは、ＡＥ（自動露出処理）、ＡＦ（自動合焦処理）、ＡＷＢ（自動ホワイトバランス）等の撮像条件の調整制御を行う。
【００２０】
このように、撮像部１は、撮像手段として、被写体を所定のフレームレートで連続して撮像して複数の画像フレームを逐次生成して取得する。
【００２１】
画像データ生成部２は、被写体の連続撮影に係る複数の画像フレームの各々のＹＵＶデータを生成する。即ち、画像データ生成部２は、電子撮像部１ｂから転送された各画像フレームのアナログ値の信号に対してＲＧＢの各色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。
カラープロセス回路から出力される輝度信号Ｙ及び色差信号Ｃｂ，Ｃｒは、図示しないＤＭＡコントローラを介して、バッファメモリとして使用される画像メモリ３にＤＭＡ転送される。
【００２２】
画像メモリ３は、例えば、ＤＲＡＭ等により構成され、画像処理部４やＣＰＵ１１等によって処理されるデータ等を一時記憶する。
【００２３】
画像処理部４は、縮小画像生成部４ａと、指定部４ｂと、画像圧縮部４ｃとを備えている。
【００２４】
縮小画像生成部４ａは、撮像部１における撮像により生成され画像メモリ３に一時記憶された静止画像の画像データを複製する。そして、縮小画像生成部４ａは、複製された画像データに基づいて、水平及び垂直ともに所定の比率で縮小したサムネイル画像（縮小画像）を生成する。例えば、縮小画像生成部４ａは、撮像部１による連写順にそれぞれの静止画像の複製された画像データを水平及び垂直ともに所定の比率で縮小してサムネイル画像を生成し画像メモリ３に転送する。
これにより、縮小画像生成部４ａは、撮像部１により連続して撮像された複数の静止画像の画像データに基づいて、当該複数の静止画像を縮小したサムネイル画像をそれぞれ生成する縮小画像生成手段として機能する。
【００２５】
指定部４ｂは、撮像部１により連続して撮像された複数の静止画像のうちの少なくとも何れか一の静止画像を本画像として指定する。
具体的には、表示部６に、複数のサムネイル画像（例えば１０枚のサムネイル画像）が選択可能に表示された状態（図５参照）で、ユーザによる操作入力部１０の選択指示用ボタン１０ｂ（後述）の操作によって所望のサムネイル画像（例えば、サムネイル画像Ｈ２）が選択指示された後、ユーザにより操作入力部１０の決定ボタン１０ｄ（後述）が操作されると、指定部４ｂは、当該所望のサムネイル画像に対応する静止画像（連写画像）を本画像として指定する。
これにより、指定部４ｂは、撮像部１により連続して撮像された複数の静止画像のうちの少なくとも何れか一の静止画像を本画像として指定する指定手段として機能する。具体的には、指定部４ｂは、撮像部１により連続して撮像された複数の静止画像のうち、操作入力部１０により選択されたサムネイル画像（縮小画像）に対応する静止画像を本画像として指定する。
【００２６】
画像圧縮部４ｃは、画像データ生成部２により生成された本画像（静止画像）の画像データや、縮小画像生成部４ａにより生成されたサムネイル画像の画像データを所定の符号化形式（例えば、ＪＰＥＧ形式等）で圧縮する。
【００２７】
表示制御部５は、画像メモリ３に一時的に記憶されている画像データを読み出して表示部６に表示させる制御を行う。
具体的には、表示制御部５は、ＶＲＡＭ、ＶＲＡＭコントローラ、デジタルビデオエンコーダなどを備えている。そして、デジタルビデオエンコーダは、ＣＰＵ１１の制御下にて画像メモリ３から読み出されてＶＲＡＭ（図示略）に記憶されている輝度信号Ｙ及び色差信号Ｃｂ，Ｃｒを、ＶＲＡＭコントローラを介してＶＲＡＭから定期的に読み出して、これらのデータを元にビデオ信号を発生して表示部６に出力する。
【００２８】
表示部６は、例えば、液晶表示装置であり、表示制御部５からのビデオ信号に基づいて、撮像された画像などを表示画面に表示する。
具体的には、表示部６は、撮像モードにて、撮像部１による被写体の撮像により生成された複数の画像フレームに基づいてライブビュー画像を表示したり、記録用画像として撮像されたレックビュー画像を表示する。
【００２９】
また、表示部６は、表示手段として、縮小画像生成部４ａにより生成されたサムネイル画像を、ユーザによる操作入力部１０の所定の操作によって選択可能に表示する。例えば、連写モードにて、複数枚（例えば、１０枚）の静止画像が撮像され、それぞれの静止画像に対応するサムネイル画像を一覧表示できない場合には、表示部６は、図５に示すように、表示内容を左右にスクロールして変えるスクロール表示を行う。即ち、表示部６は、ユーザによる選択指示用ボタン１０ｂの所定操作に基づいて表示内容を左右にスクロールさせていくことで、表示されていないサムネイル画像についても選択可能となっている。
また、表示部６は、表示枠Ｗを一のサムネイル画像（例えば、サムネイル画像Ｈ２）の縁に重畳させた状態で表示を行うとともに、当該サムネイル画像を、表示部６に表示されているその他のサムネイル画像（例えば、サムネイル画像Ｈ１，Ｈ３，Ｈ４）よりも高い位置に表示する。これにより、表示枠Ｗが重畳されて表示されたサムネイル画像がユーザにより選択されていることを示すようになっている。
【００３０】
ファイル生成部７は、ファイル生成手段として、撮像部１により連続して撮像された複数の静止画像の中から指定部４ｂにより指定された本画像と、これら複数の静止画像それぞれのサムネイル画像とを含む一の画像ファイルＦ（図４参照）を生成する。
【００３１】
画像ファイルＦは、図４に示すように、所定の形式（例えば、Ｅｘｉｆ形式）で構成されたデータ構造をなし、例えば、本画像情報Ｆ０と、画像付属情報Ｆ１と、サムネイル画像データＦ２と、画像データＦ３と、サムネイル画像データＦ４ａ１，Ｆ４ａ２，…とを含んでいる。
【００３２】
本画像情報Ｆ０には、指定部４ｂにより指定された本画像に関する画像情報が記憶されている。具体的には、本画像情報Ｆ０には、例えば、当該本画像の撮影情報、画像サイズ、画像パラメータや、本画像を縮小して生成されたサムネイル画像の画像サイズ、当該本画像のアドレスなどの情報が含まれている。
【００３３】
画像付属情報Ｆ１には、複数の静止画像に係る複数のサムネイル画像の画像サイズ、各サムネイル画像の開始アドレスなどの情報が含まれている。
【００３４】
サムネイル画像データＦ２は、本画像を縮小したサムネイル画像の画像データである。
【００３５】
画像データＦ３は、指定部４ｂにより指定された本画像を画像圧縮部４ｃにより圧縮した画像データである。
【００３６】
サムネイル画像データＦ４ａ１，Ｆ４ａ２，…は、複数の静止画像それぞれのサムネイル画像を画像圧縮部４ｃにより圧縮した画像データである。具体的には、サムネイル画像データＦ４ａ１，Ｆ４ａ２，…は、連写順に開始アドレスがそれぞれ対応付けられて所定領域に格納されている。
【００３７】
なお、画像ファイルＦのデータ構造はこれに限られず、本画像情報Ｆ０、画像付属情報Ｆ１、サムネイル画像データＦ２、画像データＦ３、サムネイル画像データＦ４ａ１，Ｆ４ａ２，…等が格納されていれば、その他のデータ構造でも良い。
【００３８】
記録制御部８は、指定部４ｂにより指定された本画像と縮小画像生成部４ａにより生成された複数のサムネイル画像とを対応付けて記録媒体９の所定領域に記録させる。
具体的には、記録制御部８は、指定部４ｂにより指定された本画像と縮小画像生成部４ａにより生成された複数のサムネイル画像とを含む画像ファイルＦがファイル生成部７により生成されると、当該画像ファイルＦを記録媒体９の所定領域に記録させる。
これにより、記録制御部８は、指定部４ｂにより指定された本画像と縮小画像生成部４ａにより生成された複数のサムネイル画像とを対応付けて記録媒体９に記録させる記録制御手段として機能する。
【００３９】
記録媒体９は、例えば、不揮発性メモリ（フラッシュメモリ）等により構成され、画像圧縮部４ｃにより符号化された静止画像の画像データ等を記憶する。また、記録媒体９は、ファイル生成部７により生成された画像ファイルＦを記憶する。
なお、記録媒体９は、撮像装置１００に着脱可能な外部メモリでも、撮像装置１００の内蔵メモリでも良い。
【００４０】
操作入力部１０は、当該撮像装置１００の所定操作を行うためのものである。具体的には、操作入力部１０は、図５に示すように、例えば、被写体の撮影指示に係るシャッタボタン１０ａ、撮像モードや機能等の選択指示に係る選択指示用ボタン１０ｂおよび決定ボタン１０ｃ，１０ｄ等を備え、これらのボタンの操作に応じて所定の操作信号をＣＰＵ１１に出力する。
【００４１】
ＣＰＵ１１は、撮像装置１００の各部を制御するものである。具体的には、ＣＰＵ１１は、ＲＯＭ１２に格納されている撮像装置１００用の各種処理プログラム（図示略）に従って各種の制御動作を行うものである。
【００４２】
次に、撮像装置１００の記録制御方法に係る動作処理について、図２及び図３を参照して説明する。
図２及び図３は、画像データの記録制御処理に係る動作の一例を示すフローチャートである。
記録制御処理は、ユーザによる操作入力部１０の選択指示用ボタン１０ｂや決定ボタン１０ｃ，１０ｄの所定操作に基づいて、メニュー画面に表示された複数の撮像モードの中から連写モードが選択指示された場合に実行される処理である。
【００４３】
図２に示すように、先ず、撮像部１は、ＣＰＵ１１の制御下にて、シャッタボタン１０ａが操作されたか否かを判定する（ステップＳ１）。
ここで、シャッタボタン１０ａが操作されたと判定されると（ステップＳ１；ＹＥＳ）、撮像部１は、レンズ部１ａにより結像された光学像を電子撮像部１ｂにより所定の撮像フレームレートで連続して所定枚数（例えば、１０枚）撮像させ、連写画像を撮り込む（ステップＳ２）。例えば、図５に示すように、撮像部１は、イルカが水中から空中に飛び跳ねた後、再度水中に潜る状況を連写して撮像する。
なお、シャッタボタン１０ａが押下されていないと判定されると（ステップＳ１；ＮＯ）、シャッタボタン１０ａが押下されたと判定されるまで、ステップＳ１の判定処理を繰り返す。
【００４４】
次いで、撮像部１は、電子撮像部１ｂに撮り込まれた連写画像を読み出し（ステップＳ３）、当該連写画像を画像メモリ３に撮像順に記憶する（ステップＳ４）。そして、撮像部１は、所定枚数の連写画像の記憶が終了したか否かを判定する（ステップＳ５）。
ここで、所定枚数の連写画像の記憶が終了したと判定されるまで（ステップＳ５；ＮＯ）は、ステップＳ３及びステップＳ４の処理を繰り返し、所定枚数の連写画像の記憶が終了したと判定されると（ステップＳ５；ＹＥＳ）、撮像部１は、電子撮像部１ｂによる連写画像の撮り込みを終了する（ステップＳ６）。
【００４５】
次いで、縮小画像生成部４ａは、ＣＰＵ１１の制御下にて、画像メモリ３に一時記憶された所定枚数の連写画像を１枚ずつ読み出し（ステップＳ７）、表示部６への表示用のサムネイル画像（縮小画像）を生成する（ステップＳ８）。そして、縮小画像生成部４ａは、所定枚数の連写画像それぞれのサムネイル画像の生成が終了したか否かを判定する（ステップＳ９）。
ここで、所定枚数の連写画像それぞれのサムネイル画像の生成が終了したと判定されるまで（ステップＳ９；ＮＯ）は、ステップＳ７及びステップＳ８の処理を繰り返し、所定枚数の連写画像それぞれのサムネイル画像の生成が終了したと判定されると（ステップＳ９；ＹＥＳ）、図３に示すように、表示制御部５は、縮小画像生成部４ａによって生成されたサムネイル画像（例えば、サムネイル画像Ｈ１〜Ｈ４）を表示部６に表示させる（ステップＳ１０；図５参照）。例えば、図５に示すように、表示部６は、イルカが水中から空中に飛び跳ねた後、再度水中に潜る状況を連写して撮像した複数（例えば、１０枚）の連写画像それぞれのサムネイル画像のうち、所定枚数（例えば、４枚）のサムネイル画像Ｈ１〜Ｈ４を撮像順（例えば、表示部６の左から右）に表示する。
【００４６】
次に、ＣＰＵ１１は、ユーザによる選択指示用ボタン１０ｂが操作されているか否かの判定（ステップＳ１１）を行う。即ち、表示部６には、複数の連写画像（例えば、１０枚）それぞれのサムネイル画像がユーザにより選択可能に表示されており、この状態で、ユーザによる選択指示用ボタン１０ｂが操作されていると判定されると（ステップＳ１１；ＹＥＳ）、ＣＰＵ１１は、ユーザにより決定ボタン１０ｄが操作されたか否か、つまり、複数のサムネイル画像のうち何れか一のサムネイル画像が選択されたか否かの判定（ステップＳ１２）を行う。具体的には、図５に示すように、一枚の静止画像の保存を表すアイコンと対応付けられた決定ボタン１０ｄがユーザにより操作されると、決定ボタン１０ｄは、表示枠Ｗが重畳され表示された一のサムネイル画像（例えば、サムネイル画像Ｈ２）に対応する静止画像の保存を指示する所定の信号をＣＰＵ１１に出力する。そして、ＣＰＵ１１は当該所定の信号が検出されるか否かによって、複数のサムネイル画像のうち何れか一のサムネイル画像に対応する静止画像が選択されたか否かの判定（ステップＳ１２）を行う。
【００４７】
そして、複数のサムネイル画像のうち何れか一のサムネイル画像に対応する静止画像が選択されると（ステップＳ１２；ＹＥＳ）、画像圧縮部４ｃは、画像メモリ３からユーザにより選択されたサムネイル画像に対応する静止画像（本画像）を読み出し（ステップＳ１３）、当該本画像の画像データを、例えば、ＪＰＥＧ形式で圧縮する（ステップＳ１４）。
【００４８】
次いで、縮小画像生成部４ａは、画像メモリ３から所定枚数の連写画像を１枚ずつ読み出し、画像ファイルＦへの保存用のサムネイル画像（縮小画像）を生成する（ステップＳ１５）。
なお、ここでは、新たにサムネイル画像を生成することなく、ステップＳ８にて生成された表示用のサムネイル画像を、画像ファイルＦへの保存のために併用しても良い。
【００４９】
そして、画像圧縮部４ｃは、画像ファイルＦへの保存用のサムネイル画像を、例えば、ＪＰＥＧ形式で圧縮し（ステップＳ１６）、所定枚数（例えば、１０枚）の連写画像それぞれのサムネイル画像の圧縮が終了したか否かを判定する（ステップＳ１７）。
【００５０】
ここで、画像圧縮部４ｃは、所定枚数（例えば、１０枚）の連写画像それぞれのサムネイル画像の圧縮が終了するまで（ステップＳ１７；ＮＯ）は、ステップＳ１５及びステップＳ１６の処理を繰り返し、所定枚数の連写画像それぞれのサムネイル画像の圧縮が終了したと判定されると（ステップＳ１７；ＹＥＳ）、ファイル生成部７は、ユーザにより選択された一のサムネイル画像に対応する本画像の圧縮された画像データと、所定枚数の連写画像それぞれの圧縮されたサムネイル画像データとを含む一の画像ファイルＦを生成する（ステップＳ１８）。
【００５１】
そして、記録制御部８は、ファイル生成部７によって生成された画像ファイルＦを記録媒体９に記録させる（ステップＳ１９）。また、縮小画像生成部４ａは、画像メモリ３に一時記憶された所定枚数の連写画像の画像データ、表示用サムネイル画像データ等を消去して（ステップＳ２０）、記録制御処理を終了する。
【００５２】
また、複数のサムネイル画像のうち何れのサムネイル画像に対応する静止画像も選択されないと（ステップＳ１２；ＮＯ）、画像圧縮部４ｃは、複数のサムネイル画像に対応する静止画像の全てが選択されたか否かの判定（ステップＳ２１）を行う。具体的には、図５に示すように、全ての静止画像の保存を表すアイコンと対応付けられた決定ボタン１０ｃがユーザにより操作されると、決定ボタン１０ｃは、全ての静止画像の保存を指示する所定の信号をＣＰＵ１１に出力する。そして、ＣＰＵ１１は、当該所定の信号が検出されるか否かによって、複数の静止画像の全てが選択されたか否かの判定（ステップＳ２１）を行う。
【００５３】
ここで、複数の静止画像の全てが選択されると（ステップＳ２１；ＹＥＳ）、画像圧縮部４ｃは、画像メモリ３から全てのサムネイル画像それぞれに対応する静止画像を読み出し、静止画像の各画像データを、例えば、ＪＰＥＧ形式で圧縮し（ステップＳ２２）、ステップＳ１９へ移行する。その後、記録制御部８は、画像圧縮部４ｃによって圧縮された静止画像の画像データを記録媒体９に記録する（ステップＳ１９）。また、縮小画像生成部４ａは、画像メモリ３に一時記憶された所定枚数の静止画像の画像データ、表示用サムネイル画像データ等を消去して（ステップＳ２０）、記録制御処理を終了する。
【００５４】
以上のように、本実施形態の撮像装置１００によれば、連写して撮像された複数の静止画像のうちから指定された本画像と、当該複数の静止画像を縮小した複数のサムネイル画像とを対応付けて記録媒体９に記録することができる。具体的には、連写して撮像された複数の静止画像のうちから指定された本画像と、当該複数の静止画像を縮小した複数のサムネイル画像とを一の画像ファイルにまとめて記録媒体９に記録することができる。
従って、本画像及び複数のサムネイル画像の各画像ファイルがばらばらになってしまうことを効果的に防止できるようになり、画像ファイルの管理を簡便に行うことができる。また、本画像を読み出せば複数のサムネイル画像も即座に読み出すことができるので、当該複数のサムネイル画像を参照することで、本画像を撮影したときの状況を容易に把握することができる。
【００５５】
また、本画像として、ユーザ所望の連写画像を選択することができるので、ユーザの意思に即して当該本画像の記録が可能となり、使い勝手の良い撮像装置を提供することができる。
【００５６】
〔変形例１〕
次に、本実施形態の撮像装置１００の変形例１について説明する。
図６は、変形例１における画像ファイルＦのデータ構造図である。図６に示すように、変形例１における画像ファイルＦは、サムネイル画像データＦ４ａ１，Ｆ４ａ２，…の代わりに、サムネイル画像データＦ４ａ１，Ｆ４ａ２，…に基づいて生成された動画データＦ５を記憶することを特徴としている。
【００５７】
具体的には、画像処理部４は、動画生成手段として、縮小画像生成部４ａにより生成された複数のサムネイル画像の画像データに基づいて所定のファイル形式（例えば、Ｍｏｔｉｏｎ−ＪＰＥＧ形式）で動画を生成する。
そして、ファイル生成部７は、複数のサムネイル画像データとして、画像処理部４により生成された動画の動画データを画像ファイルＦに含ませる。
なお、画像ファイルＦの構造、画像処理部４及びファイル生成部７以外の構成は、上記実施形態とほぼ同様であり、その詳細な説明は省略する。
【００５８】
従って、変形例１の撮像装置１００によれば、本画像と対応付けられて記憶された動画を見ることにより、複数のサムネイル画像を参照する場合に比べて、当該本画像が撮影されたときの状況をより効果的に把握することができる。
【００５９】
なお、上記実施形態にあっては、指定部４ｂは、ユーザにより選択された一のサムネイル画像に対応する静止画像を本画像として指定したが、これに限らず、被写体条件や撮影条件を考慮した画像解析を行い、連続して撮像された複数の静止画像のうちから何れか一の静止画像を自動的に特定することで指定するようにしても良い。また、自動的に一の静止画像を指定できない場合、例えば、１０枚の静止画像のうち、自動的に３枚の静止画像が選択された場合には、当該３枚の静止画像のうちからユーザが何れか一の静止画像を指定するようにしても良い。
【００６０】
また、上記実施形態にあっては、指定部４ｂは、連続して撮像された複数の静止画像のうちから何れか一の静止画像を指定するようにしたが、これに限らず、複数枚の静止画像を指定するようにしても良い。
【００６１】
また、変形例１にあっては、連写して撮像された複数の連写画像をそれぞれ縮小したサムネイル画像の画像データに基づいて、動画を生成するようにしたが、これに限らず、連写して撮像された複数の連写画像それぞれの画像データに基づいて動画を生成しても良い。
【００６２】
また、上記実施形態にあっては、縮小画像生成手段、指定手段、記録制御手段としての機能を、ＣＰＵ１１の制御下にて、縮小画像生成部４ａ、指定部４ｂ、記録制御部８が駆動することにより実現される構成としたが、これに限られるものではなく、ＣＰＵ１１によって所定のプログラム等が実行されることにより実現される構成としても良い。
即ち、プログラムを記憶するプログラムメモリ（図示略）に、縮小画像生成処理ルーチン、指定処理ルーチン、記録制御処理ルーチンを含むプログラムを記憶しておく。そして、縮小画像生成処理ルーチンによりＣＰＵ１１を、撮像手段により連続して撮像された複数の静止画像の画像データに基づいて、当該複数の静止画像を縮小した縮小画像をそれぞれ生成する縮小画像生成手段として機能させるようにしても良い。また、指定処理ルーチンによりＣＰＵ１１を、撮像手段により連続して撮像された前記複数の静止画像のうちの少なくとも何れか一の静止画像を本画像として指定する指定手段として機能させるようにしても良い。また、記録制御処理ルーチンによりＣＰＵ１１を、指定処理ルーチンにより指定された前記本画像と縮小画像生成処理ルーチンにより生成された複数の縮小画像とを対応付けて記録媒体９に記録させる記録制御手段として機能させるようにしても良い。
【符号の説明】
【００６３】
１００  撮像装置
１      撮像部
２      画像データ生成部
３      画像メモリ
４      画像処理部
４ａ    縮小画像生成部
４ｂ    指定部
４ｃ    画像圧縮部
５      表示制御部
６      表示部
７      ファイル生成部
８      記録制御部
９      記録媒体
１０    操作入力部
１１    ＣＰＵ
１２    ＲＯＭ
【図１】
2011035586.tif 000003
【図２】
2011035586.tif 000004
【図３】
2011035586.tif 000005
【図４】
2011035586.tif 000006
【図５】
2011035586.tif 000007
【図６】
2011035586.tif 000008